(57)【特許請求の範囲】
【請求項１】
消防ホースの減圧弁と結合されている放水圧の調節カートリッジ（１）において、
その端部は、放水用具（ＦＮ）と結合され、他端部は、消防ホースの減圧弁（ＲＶ）と結合されている一定の長さを持ち、その内部が貫通されたカートリッジハウジング（１００）と；
前記カートリッジハウジング（１００）の内部に挿入及び固定されてカートリッジハウジング（１００）の内部を通過する消防用水（ＦＷ１）の放水圧を調節する放水圧の調節ノズル（２００）と；
放水用具（ＦＮ）と結合されるように、前記カートリッジハウジング（１００）の端部に形成される放水用具の結合手段部（３００）と；
消防ホースの減圧弁（ＲＶ）が結合されるように、前記カートリッジハウジング（１００）の他端部に形成される消防ホースの減圧弁の結合手段部（４００）と；
前記カートリッジハウジング（１００）に挿入及び固定される放水圧の調節ノズル（２００）を基準にして、放水圧の調節ノズル（２００）の上部に生成される第１の消防用水の流入区域（５００）と；
前記カートリッジハウジング（１００）に挿入及び固定される放水圧の調節ノズル（２００）を基準にして、放水圧の調節ノズル（２００）の下部に生成される第２の消防用水の流入区域（６００）と；で構成されるが、
第１の消防用水の流入区域（５００）の面積（Ａ１）が、第２の消防用水の流入区域（６００）の面積（Ａ２）より小さく形成され、
前記放水圧の調節ノズル（２００）は、
第１の消防用水の流入区域（５００）に通過する消防用水（ＦＷ１）の流速を増加させるノズル上面（２１０）と；
第２の消防用水の流入区域（６００）に消防用水（ＦＷ１）が通過するようにするノズル下面（２２０）と；
前記ノズル上面（２１０）及びノズル下面（２２０）の端部と接し、消防ホースの減圧弁（ＲＶ）から流入される消防用水（ＦＷ１）がそれぞれ第１の消防用水の流入区域（５００）及び第２の消防用水流入区域（６００）を通過して、放水圧が調節された消防用水（ＦＷ２）で放水用具（ＦＮ）を介して火災ポイントに吐出されるようにするノズル断面（２３０）と；
前記ノズル上面（２１０）及びノズル下面（２２０）の他端部と接するが、ノズル上面（２１０）から延長されて下向きに一定の傾きで形成された、消防ホースの減圧弁（ＲＶ）から流入される消防用水（ＦＷ１）を分岐させるノズル他端面（２４０）と；
前記ノズル他端面（２４０）及びノズル下面（２２０）が接して鋭く生成されて、消防ホースの減圧弁（ＲＶ）から流入される消防用水（ＦＷ１）が抵抗なく分岐されるようにする消防用水の分岐鋒鋩（２５０）と；で構成されて、
消防ホース（ＦＨ）から消防ホースの減圧弁（ＲＶ）を介して流入される消防用水（ＦＷ１）を二つに分岐して、それぞれ第１の消防用水の流入区域（５００）及び第２の消防用水流入区域（６００）を通過するようにすることによって、
消防ホース（ＦＨ）から流入される消防用水（ＦＷ１）の放水圧を調節して、放水圧によって発生される重力反対方向への上昇しようとする力を流速の増加で相殺させて、放水用具（ＦＮ）が任意に上昇することを防止し、放水用具（ＦＮ）に重力方向に力が作用するようにして、消防士が一人でも放水銃を容易に扱えるようにすることを特徴とする消防ホースの減圧弁と結合されている放水圧の調節カートリッジ。
【発明の詳細な説明】
【技術分野】
【０００１】
本発明は、消防ホースの減圧弁と結合されている放水圧の調節カートリッジに関するものであり、より詳細には、放水圧によって消防用水に発生する重力反対方向への上昇しようとする力を放水圧の調節カートリッジで除去して、消防士が消防用水の吐出方向を容易に制御できるようにする消防ホースの減圧弁と結合されている放水圧の調節カートリッジに関するものである。
【背景技術】
【０００２】
一般的に、消防用水は放水銃を使用して、火災ポイントに吐出される。
【０００３】
前記放水銃は、火災現場などに高圧の消防用水を吐出する装置であって、通常、消防車と接続された放水ノズルの圧力が０．７［ＭＰａ］程度であり、状況に応じて高圧で放水される時には、放水ノズルの圧力は、１．４［ＭＰａ］以上になる。
【０００４】
より具体的には、放水ノズルの圧力が０．７［ＭＰａ］である場合には、消防士一人の体力に約２０分程度しか耐えられない状況になり、１．４［ＭＰａ］以上の場合には、二人の消防士でも耐えるのは難しい状況になる。 
【０００５】
従って、消防用水が放水される放水銃は、皮肉なことに消防士による長時間の把持が不可能であり、ややもすれば、二次的な事故が発生することができる危険性が内包されている。 
【０００６】
さらに、消防ホースを介して伝達される様々な要因（消防車の放水圧の誤動作、ホースねじれ等）の原因で消防用水の急激な圧力変動や渦などにより把持していた放水銃の離脱の可能性はさらに増加される。
【０００７】
このような放水銃の離脱は、緊迫した火災現場で消防士や周りの人たちの顔面および周辺構造物を打撃、破損するなど、放水銃の揺らぎにより他の事故を発生させる。
【０００８】
また、倉庫型店舗や大量生産体制の産業現場に可燃物が多く、消化時間が１時間以上持続する場合が多いが、この時、火を鎮圧する消防士が放水ノズルの圧力により、放水を長時間維持することができない状況が発生 されると同時に、放水のとき、消防二人から三人は常に放水銃を支持して力を分配しなければなら、余計な人力が失われる問題が発生する。
【０００９】
このような従来の問題点を解決するために、様々な放水銃および消防ロボットを開発して、現場に配置することもしたが、従来の放水銃は、放水の距離を向上させたり、消防用水の密度を向上させる効果に集中して開発されているのが実情であり、消防ロボットは、現場に配置されても、平均１.５トン程度の重さで迅速な移動が不可能であるという問題点があり、また、高価な費用で製作されている機器であるため、実質的に現場に適用されにくい手段である。 
【００１０】
すなわち、従来の技術中の放水銃の基本的な問題点を解決すべき技術や、これに対する対応が行われることができる手段が不備である。
【００１１】
したがって、すぐに火災現場に投入する必要がある消防士が長時間の高圧放水にも大きく力を入れずに安全に火点に放水することができるようにし、消防士と現場管理者に違和感がなく、最終的には誰でも、火災現場で容易に使用することができるように構成された放水銃の開発が必要である。
【００１２】
そこで、消防ホースの減圧弁と結合されている放水圧の調節カートリッジに関する先行技術として、図１０のａに示すように、韓国登録特許第１０−１３９５６６４号公報  「長距離噴射用放水砲」（以下、「特許文献１」とする。）は、消火用水の配管と接続されている銃身部と、前記銃身部から流入された消火用水を噴射する噴射ノズルとを備える放水銃、および少なくとも２つの区画翼が形成され、前記銃身部の内部に挿入され、前記銃身部の内部空間を放射形で複数の空間に区画する増圧フィルタを含み、前記銃身部の内部に消火用水が流入すると、前記増圧フィルタが前記消火用水を案内し、前記増圧フィルタが前記銃身部の内部で渦を最小限に抑えることにより、消火用水の噴射距離が向上することを特徴とし、消火用水の噴射時、消火用水の噴射距離を向上することができ、消火用水の飛散を防止できるようにする長距離噴射用放水布に関するものである。 
【００１３】
他の先行技術では、図１０のｂに示すように韓国登録特許第１０−１６３４２５６号公報  「放水砲」（以下、「特許文献２」とする。）は、消防ホースから供給される消防用水が放水されている消防用水の放水部；前記消防用水の放水部に供給される消防用水が前記消防ホースから引き込まれる消防用水の引込部；前記消防用水の引込部と前記消防用水の放水部とを連結するコネクター；前記消防用水の放水部と前記コネクターと接続され、前記消防用水放水部と前記連結管とを上下に回動させる上下回動部；前記消防用水の放水部および前記消防用水引込部と接続され、前記消防用水の放水部および前記消防用水の引込部を左右に回動させる左右回動部；及び前記上下回動部および左右回動部の回動を制御するコントローラを含み、前記上下回動部は、前記消防用水の引込部の上部に位置し、一側面には回動部とヒンジ結合ボールが具備される第１の連結部材と；一端は、前記第１の連結部材の一側の前記回動部で上下に回動自在に連結され、他端は前記消防用水の放水部と接続された前記コネクターと連結され、一側面にはヒンジ締結ボールが具備される第２の連結部材と；前記ヒンジ結合ボールおよび前記ヒンジ締結ボールに締結されて、前記第１の連結部材と前記第２の連結部材とを接続し、前記第１の連結部材で前記第２の連結部材を上下に回動させる上下回転軸部材を含んで、消防用水が放水されている消防用水の放水部を消防士または操作者がコントローラを利用して、上下および左右に回転させることができて、消防士が放水砲を操作するため、火災現場に接近していなくても操作することができるし、消防士を炎から保護することができ、消防用水放水部の上下および左右の回転をコントローラを利用して、簡単に回転させることができて、作業の利便性を向上させる放水砲に関するものである。
【００１４】
上述のとおり、前記特許文献１ないし特許文献２は、上述した従来の問題点を解決していない、放水の距離および消防用水の密度を向上させる効果が発揮される技術と、放水砲をコントローラで上下および左右に動作するようにして、作業の利便性を向上させる技術であるだけで、本発明が解決しようとする基本的な課題とは異なる。
【００１５】
すなわち、本発明は、前記特許文献１ないし特許文献２と対比して、解決しようとする課題、これを解決するためのプロセス、およびその効果が異なるため、技術的特徴に差がある。
【先行技術文献】
【特許文献】
【００１６】
【特許文献１】韓国登録特許第１０−１３９５６６４号公報
【特許文献２】韓国登録特許第１０−１６３４２５６号公報
【発明の概要】
【発明が解決しようとする課題】
【００１７】
したがって、本発明は、前記ような問題点を解決するために提案された技術として、本発明の目的は、消防ホースから放水される消防用水を容易に制御することができるようにする消防ホースの減圧弁と結合されている放水圧の調節カートリッジの提供にある。
【００１８】
すなわち、本発明の目的は、消防ホースの減圧弁と放水用具との間に位置および結合されて、消防ホースから放水される消防用水の放水圧を調節して、火災の鎮圧時、消防士が容易に放水用具を扱えるようにする消防ホースの減圧弁と結合されている放水圧の調節カートリッジの提供にある。
【００１９】
また、本発明の他の目的は、消防士一人だけで、消防ホースから流入する消防用水が吐出される放水用具を長時間維持および制御することができるように放水圧を調節する消防ホースの減圧弁と結合されている放水圧の調節カートリッジの提供にある。
【００２０】
本発明のさらに他の目的は、火災の鎮圧初期に消防用水の放水圧に耐えられず、無駄にしている消防用水を防止し、消防用水の放水圧で消防士による放水用具の統制力が失われて発生する事故を未然に防止し、消防士一人だけで消防用水の放水圧に耐えることができるように消防用水の放水圧を調節する消防ホースの減圧弁と結合されている放水圧の調節カートリッジの提供にある。
【課題を解決するための手段】
【００２１】
前記目的を達成するための本発明による消防ホースの減圧弁と結合されている放水圧の調節カートリッジは、消防ホースの減圧弁と結合されている放水圧の調節カートリッジにおいて、
その端部は、放水用具と結合され、他端部は、消防ホースの減圧弁と結合されている一定の長さを持ち、その内部が貫通されたカートリッジハウジングと；
前記カートリッジハウジングの内部に挿入及び固定されてカートリッジハウジングの内部を通過する消防用水の放水圧を調節する放水圧の調節ノズルと；
放水用具ＦＮと結合されるように、前記カートリッジハウジングの端部に形成される放水用具の結合手段部と；
消防ホースの減圧弁が結合されるように、前記カートリッジハウジングの他端部に形成される消防ホースの減圧弁の結合手段部と；
前記カートリッジハウジングに挿入及び固定される放水圧の調節ノズルを基準にして、放水圧の調節ノズルの上部に生成される第１の消防用水の流入区域と；
前記カートリッジハウジングに挿入及び固定される放水圧の調節ノズルを基準にして、放水圧の調節ノズルの下部に生成される第２の消防用水の流入区域と；で構成されて、
消防ホースから流入される消防用水ＦＷ１の放水圧を調節して、放水圧によって放水用具が任意に上昇することを防止し、放水用具の重力方向に力が作用するようにして消防士による放水用具の取り扱いを容易にすることを特徴とする。 
【００２２】
このとき、前記放水圧の調節ノズルは、
第１の消防用水の流入区域に通過する消防用水ＦＷ１の流速を増加させるノズル上面と；
第２の消防用水の流入区域に消防用水ＦＷ１が通過するようにするノズル下面と；
前記ノズル上面及びノズル下面の端部と接し、消防ホースの減圧弁から流入される消防用水がそれぞれ第１の消防用水の流入区域及び第２の消防用水流入区域を通過して、放水圧が調節された消防用水で放水用具を介して火災ポイントに吐出するようにしてノズル端面と；
前記ノズル上面及びノズル下面の他端部と接するが、ノズル上面から延長されて下向きに一定の傾きで形成された、消防ホースの減圧弁から流入される消防用水を分岐させるノズル他端面と；
前記ノズル他端面及びノズル下面が接して鋭く生成されて、消防ホースの減圧弁から流入される消防用水が抵抗なく分岐されるようにする消防用水の分岐鋒鋩とで構成されて、
消防ホースから消防ホースの減圧弁を介して流入される消防用水を二つに分岐して、それぞれ第１の消防用水の流入区域及び第２の消防用水流入区域を通過するようにすることを特徴とする。
【００２３】
一方、これに先立ち、本明細書は、特許登録請求の範囲に使用された用語や単語は通常的であるか、辞典的な意味に限定して解釈されてはならず、発明者は、彼自身の発明を最も最善の方法で説明するために、用語の概念を適切に定義することができる原則に立脚して、本発明の技術的思想に符合する意味と概念に解釈されるべきである。
【００２４】
したがって、本明細書に記載された実施例と図面に図示された構成は、本発明の最も望ましい一実施例にすぎず、本発明の技術的思想をすべて代弁するものではないので、本出願時点においてこれらを代替することができる様々な均等物と変形例があることを理解しなければならない。 
【発明の効果】
【００２５】
以上の構成および作用で前記説明したように本発明によると、消防ホースの減圧弁から流入される消防用水を容易に制御することができる。
【００２６】
すなわち、消防ホースの減圧弁から流入される消防用水の放水圧を調節して、火災の鎮圧時、消防士が最終的に放水用具を容易に取扱いおよび制御することができるようにする。
【００２７】
また、消防用水の放水圧が調節されるので、消防士一人だけで放水銃を長時間維持および制御することができる。
【００２８】
さらに詳細には、放水圧によって消防用水に発生する力（重力反対方向に上昇しようとする力）を放水圧の調節カートリッジの構成で相殺させて、消防士が放水銃を長時間容易に取扱いおよび制御することができるように、消防用水が地面と対称されて一直線上に放水用具によって吐出するようにしたり、重力方向に一定の傾きを形成して吐出するようにする。
【００２９】
また、消火初期の放水圧に耐えられず無駄にしている消防用水を防止し、放水圧によって消防士から把持された放水銃が離脱されて発生する安全事故を未然に防止する。
【００３０】
例えば、放水銃の離脱に消防士や周囲の人々の顔面および周辺構造物を 打撃、破損するなど、放水銃の揺らぎに起因する事故を未然に防止することができる。
【００３１】
さらに、火災現場での迅速な火災の鎮圧および消防用水を制御するための消防士の人材の無駄を排除して、消防士が生命、身体、および財産を保護する任務を遂行するにあたり、 救助および救急活動の効果が最大限になるようにする非常に効果的発明である。 
【図面の簡単な説明】
【００３２】
【図１】本発明の消防ホースの減圧弁と結合されている放水圧の調節カートリッジの構成図を示したものである。
【図２】本発明の消防ホースの減圧弁と結合されている放水圧の調節カートリッジの状態斜視図及び平面図を示したものである。
【図３】本発明の消防ホースの減圧弁と結合されている放水圧の調節カートリッジの分離斜視図を示したものである。
【図４】本発明の消防ホースの減圧弁と結合されている放水圧の調節カートリッジの断面図を示したものである。
【図５】本発明の消防ホースの減圧弁と結合されている放水圧の調節カートリッジの構成要素のうち、第１の消防用水の流入区域及び第２の消防用水の流入区域の面積を簡単な断面図に示したものである。
【図６】本発明の消防ホースの減圧弁と結合されている放水圧の調節カートリッジの構成要素の放水圧の調節ノズルの実施例を正面図で示したものである。
【図７】本発明の消防ホースの減圧弁と結合されている放水圧の調節カートリッジの適用実施例の分離斜視図を示したものである。
【図８】本発明の消防ホースの減圧弁と結合されている放水圧の調節カートリッジから放水される消防用水の流れフローチャートを簡単に示したものである。
【図９】本発明の消防ホースの減圧弁と結合されている放水圧の調節カートリッジから放水されて放水用具へ吐出される消防用水の変化度をを簡単な断面図に示したものである。
【図１０】本発明の消防ホースの減圧弁と結合されている放水圧の調節カートリッジの先行技術の代表図を示す。
【発明を実施するための形態】
【００３３】
以下、添付された図面を参照して本発明の消防ホースの減圧弁と結合されている放水圧の調節カートリッジの機能、構成、および作用を詳細に説明する。
【００３４】
図１は、本発明の消防ホースの減圧弁と結合されている放水圧の調節カートリッジの構成図を示したものであり、図２は、本発明の消防ホースの減圧弁と結合されている放水圧の調節カートリッジの状態斜視図及び平面図であり、図３は、本発明の消防ホースの減圧弁と結合されている放水圧の調節カートリッジの分離斜視図であり、図４は、本発明の消防ホースの減圧弁と結合されている放水圧の調節カートリッジの断面図を示したものである。
【００３５】
図１ないし図４に示すように、本発明は、
消防ホースの減圧弁と結合されている放水圧の調節カートリッジ１において、
その端部は、放水用具ＦＮと結合され、他端部は消防ホースの減圧弁ＲＶと結合されている一定の長さを持ち、内部が貫通されたカートリッジハウジング１００；
前記カートリッジハウジング１００の内部に挿入及び固定されてカートリッジハウジング１００の内部を通過する消防用水ＦＷ１の放水圧を調節する放水圧の調節ノズル２００；
放水用具ＦＮと結合されるように前記カートリッジハウジング１００の端部に形成される放水用具の結合手段部３００；
消防ホースの減圧弁ＲＶが結合されるように、前記カートリッジハウジング１００の他端部に形成される消防ホースの減圧弁の結合手段部４００；
前記カートリッジハウジング１００に挿入及び固定される放水圧の調節ノズル２００を基準にして、放水圧の調節ノズル２００の上部に生成される第１の消防用水の流入区域５００；及び
前記カートリッジハウジング１００に挿入及び固定される放水圧の調節ノズル２００を基準にして、放水圧の調節ノズル２００の下部に生成される第２の消防用水の流入区域６００；で構成されて、
消防ホースＦＨから流入される消防用水ＦＷ１の放水圧を調節して、放水圧によって放水用具ＦＮが任意に上昇することを防止し、放水用具ＦＮの重力方向に力が作用するようにして消防士による放水用具ＦＮの取り扱いを容易にすることを特徴とする。
【００３６】
即ち、消防ホースの減圧弁ＲＶから流入される消防用水ＦＷ１がカートリッジハウジング１００の内部を通過しながら、放水圧の調節ノズル２００によって分岐されて、第１の消防用水の流入区域５００及び第２の消防用水の流入区域６００にそれぞれ分かれて通過するようにして、放水圧が調節された消防用水ＦＷ２に変化させる。
【００３７】
これを、図９を参照して、より具体的に説明することになる。
【００３８】
本発明の消防ホースの減圧弁と結合されている放水圧の調節カートリッジ１は、
消防ホースの減圧弁ＲＶから流入される消防用水ＦＷ１を、カートリッジハウジング１００の内部で放水圧の調節ノズル２００によって二つに分岐されるようにするために、一筋は、第１の消防用水流入区域５００へ、他の一筋は、第２の消防用水の流入区域６００へ通過させて、第２の消防用水の流入区域６００に通過する消防用水ＦＷ１より第１の消防用水の流入区域５００に通過される消防用水ＦＷ１の流速を急速に変化させることによって、放水圧により上昇しようとする消防用水ＦＷ１の重力反対方向の力を相殺させて放水圧が調節されるようにする。
【００３９】
したがって、図５に示すように、第１の消防用水の流入区域５００の面積Ａ１が、第２の消防用水の流入区域６００の面積Ａ２より必ず小さくならない（Ａ１＜Ａ２）。
【００４０】
このとき、カートリッジハウジング１００の内部に挿入及び固定されて、第１の消防用水の流入区域５００及び第２の消防用水の流入区域６００を生成して、消防ホースの減圧弁ＲＶから流入される消防用水ＦＷ１が前記第１の消防用水の流入区域５００及び第２の消防用水の流入区域６００に分岐されて通過するようにすることによって、消防用水ＦＷ１の放水圧が調節されるようにする放水圧の調節ノズル２００は、さらに詳細には、図３ないし図６に示すように、第１の消防用水の流入区域５００に通過する消防用水ＦＷ１の流速を増加させるノズル上面２１０；
第２の消防用水の流入区域６００に消防用水ＦＷ１が通過するようにするノズル下面２２０；
前記ノズル上面２１０と、ノズル下面２２０の端部と接し、消防ホースの減圧弁ＲＶから流入される消防用水ＦＷ１がそれぞれ第１の消防用水の流入区域５００及び第２の消防用水流入区域６００を通過して、放水圧が調節された消防用水ＦＷ２で放水用具ＦＮを介して火災ポイントに吐出するようにしてノズル断面２３０；
前記ノズル上面２１０と、ノズル下面２２０の他端部と接するが、ノズル上面２１０から延長されて下向きに一定の傾きで形成された、消防ホースの減圧弁ＲＶから流入される消防用水ＦＷ１を分岐するノズル他端面２４０；及び
前記ノズル他端面２４０およびノズル下面２２０が接して鋭く生成され、消防ホースの減圧弁ＲＶから流入される消防用水ＦＷ１が抵抗なく分岐されるようにする消防用水の分岐鋒鋩２５０；で構成されていることを特徴とする。
【００４１】
このように、図６に示すように、様々な形状に形成することができる放水圧の調節ノズル２００は、一般的に、カートリッジハウジング１００内に挿入されて、カートリッジハウジング１００の内部に第１の消防用水の流入区域５００及び第２の消防用水の流入区域６００が生成されるようにするが、必ずしも第１の消防用水の流入区域５００に通過する消防用水ＦＷ１が第２の消防用水の流入区域６００に通過する消防用水ＦＷ１より流速が速くなるように設定する必要がある。
【００４２】
すなわち、上述したように、ノズル上面２１０に流れる消防用水ＦＷ１がノズル下面２２０に流れる消防用水ＦＷ１より流速が速くなければならない。
【００４３】
この時、前記消防用水の分岐鋒鋩２５０は、消防ホースの減圧弁ＲＶから流入される消防用水ＦＷ１が放水圧の調節ノズル２００によって分岐される時に、放水圧の調節ノズル２００との突然の摩擦による不規則な流動および渦が発生しないようにするために構成されている。
【００４４】
一方、カートリッジハウジング１００の他端部が消防ホースの減圧弁ＲＶと結合されるように形成される消防ホースの減圧弁の結合手段部４００は、図３ないし図４に示すように、実施例として、
消防ホースの減圧弁ＲＶに形成されたおねじＥＴが挿入及び結合されるように内部の一側がめねじＩＴで形成された減圧弁の結束用回転プレート４１０；
前記減圧弁の結束用回転プレート４１０を回転させて消防ホースの減圧弁ＲＶがカートリッジハウジング１００に結合されるようにするが、減圧弁の結束用回転プレート４１０は、カートリッジハウジング１００からアイドリングされるように、減圧弁の結束用回転プレート４１０の一側に挿入及び固定された回転プレートベアリング４２０；及び
消防ホースの減圧弁ＲＶとカートリッジハウジング１００の他端部が密着されているところの間に位置して、消防ホースの減圧弁ＲＶとカートリッジハウジング１００の他端部との密着性及び水密性が向上されるようにする水密向上パッキング４３０；で構成されるが、
前記減圧弁の結束用回転プレート４１０には、別途の工具がなくても消防士によって火災現場ですぐにカートリッジハウジング１００の他端部に消防ホースの減圧弁ＲＶが容易に結合することができるように、外周面に一定のパターンの減圧弁の結束溝４１０ａ；をさらに含んで構成されるようにすることによって、消防ホースの減圧弁ＲＶがカートリッジハウジング１００に容易に結合されるように構成されることができる。
【００４５】
また、カートリッジハウジング１００の外周面の一側には、消防士の把持を容易にするとともに、カートリッジハウジング１００の端部に結合される放水用具ＦＮとの結合を容易にするために放水圧の調節カートリッジの把持溝１００ａをさらに含んで構成することによって、長時間の消防士は、本発明の消防ホースの減圧弁と結合されている放水圧の調節カートリッジ１を安全に把持することができるようにしたり、放水用具ＦＮとは別の工具がなくても安全に結合することができる。
【００４６】
一方、放水用具ＦＮと本発明の消防用ホース減圧弁と結合されている放水圧の調節カートリッジ１は、分離および結合されるか、または放水用具ＦＮと組み合わせて分離されないように一体型で結合されている構成で形成されることができる。
【００４７】
この時、放水用具ＦＮと本発明の消防用ホース減圧弁と結合されている放水圧の調節カートリッジ１が分離および結合が可能な構成で形成される時には、容易な分離及び結合のために放水用具ＦＮの一側の外周面に放水用具の結束溝ＦＮａ；を形成し、別の工具がなくても消防士によってカートリッジハウジング１００から放水用具ＦＮが分離および結合されるようにすることができる。
【００４８】
また、放水用具ＦＮが結合されるように、カートリッジハウジング１００の端部に形成された放水用具の結合手段部３００は、実施例として、
図３ないし図４に示すように、カートリッジハウジング１００の端部から一定の長さに延長および突出したおねじＥＴで形成されるようにして、放水用具ＦＮの端部の内部の一側に形成されためねじＩＴが挿入及び結合されるようにすることができる。
【００４９】
このように、本発明は、図７に示すように、放水用具ＦＮ、消防ホースの減圧弁と結合されている放水圧の調節カートリッジ１、及び消防ホースの減圧弁ＲＶが結合されて、火災現場で消防士によって使用されるようにする。
【００５０】
このとき、本発明が適用されて、火災ポイントに吐出される消防用水ＦＷ２の流れフローチャートを図８ないし図９を用いて簡単に説明することになる。
【００５１】
まず、消防ホースの減圧弁ＲＶから消防用水ＦＷ１がカートリッジハウジング１００の内部に流入される（消防用水ＦＷ１の流入段階、Ｓ１００）。
【００５２】
カートリッジハウジング１００の内部に流入した消防用水ＦＷ１が放水圧の調節ノズル２００により、二つに分岐される（消防用水ＦＷ１の分岐段階、Ｓ２００）。
【００５３】
消防用水ＦＷ１が、放水圧が調節された消防用水ＦＷ２に変化して放水用具ＦＮを通過して吐出するようにする（消防用水ＦＷ２の吐出段階、Ｓ３００）。
【００５４】
整理すると、本発明の消防ホースの減圧弁と結合されている放水圧の調節カートリッジ１は、火災現場で放水させる消防用水ＦＷ１の放水圧によって発生される重力反対方向への上昇しようとする力を流速の増加で相殺させて、消防士が一人でも放水用具ＦＮ、すなわち、放水銃を容易に扱えるようにする技術であり、すでに規格化されて生産されている消防ホースの減圧弁ＲＶに対応するように構成されている。
【００５５】
また、本発明の消防ホースの減圧弁と結合されている放水圧の調節カートリッジ１は、図７及び図９に示すように、端部には放水用具ＦＮと、他端部は消防ホースの減圧弁ＲＶと結合される。
【００５６】
この時、放水用具ＦＮは、本発明の消防ホースの減圧弁と結合されている放水圧の調節カートリッジ１を通過した消防用水ＦＷ２が火災ポイントに吐出するように、消防用水ＦＷ２の直進性を向上させるノズルの種類であり、火災現場の状況に応じて多様に形成されたノズルを使用することができる。
【００５７】
例えば、図７に実施例として示された放水用具ＦＮが円錐形状に形成されたのは、消防用水ＦＷ２の直進性を向上させるためであり、火災現場の状況に応じて消防用水ＦＷ２の直進性より、消防用水ＦＷ２の吐出量を向上させたい場合には、放水用具ＦＮが円錐形状ではなく、円柱状に形成されなければならない。
【００５８】
参考にして、本発明を説明するにあたり、使用された用語のうち、「放水銃」は、図７に示すように、本発明の消防ホースの減圧弁と結合されている放水圧の調節カートリッジ１と放水用具ＦＮが結合された構成をいう。
【００５９】
「放水圧」というのは、消防用水ＦＷ１が放水されている圧力をいう。
【００６０】
「放水圧の調節」というのは、消防ホースの減圧弁ＲＶから流入される消防用水ＦＷ１に放水圧により発生する重力反対方向の力（上昇しようとする力）を、本発明の消防用ホース減圧弁と結合されている放水圧の調節カートリッジ１を介して相殺させ、地面と対称して一直線上に消防用水ＦＷ２が吐出するように、消防用水ＦＷ１の上昇しようとする力を除去することをいう。
【００６１】
「消防用水ＦＷ２の直進性」というのは、消防用水ＦＷ２の吐出距離が優れた性質をいう。
【００６２】
以上のように、本発明は、記載された実施例に限定されるものではなく、本発明の思想及び範囲を逸脱することなく様々な修正及び変形することができることは、この技術の分野における通常の知識を有する者にとって自明である。
【００６３】
したがって、技術的思想や主要な特徴から逸脱することなく、他の様々な形で実施することができるので、本発明の実施例は、あらゆる点で単なる例示にすぎず、限定的に解釈してはならず、さまざまな変形して実施することができる。
【産業上利用可能性】
【００６４】
本発明は、消防ホースの減圧弁と結合されている放水圧の調節カートリッジに関するものであり、これを製作する作製および販売業など、そして、火を鎮めるための、救助および救急活動時に使用されている消防用具なので、消防に関する様々な活動産業分野の増進に寄与することに適用することができる。
【符号の説明】
【００６５】
１  消防ホースの減圧弁と結合されている放水圧の調節カートリッジ
１００  カートリッジハウジング
１００ａ  放水圧の調節カートリッジの把持溝
２００  放水圧の調節ノズル
２１０  ノズル上面
２２０  ノズル下面
２３０  ノズル断面
２４０  ノズル他端面
２５０  消防用水の分岐鋒鋩
３００  放水用具の結合手段部
４００  消防ホースの減圧弁の結合手段部
４１０  減圧弁の結束用回転プレート
４１０ａ  減圧弁の結束溝
４２０  回転プレートベアリング
４３０  水密向上パッキング
５００  第１の消防用水の流入区域
６００  第２の消防用水の流入区域
Ｓ１００  消防用水ＦＷ１の流入段階
Ｓ２００  消防用水ＦＷ１の分岐段階
Ｓ３００  消防用水ＦＷ２の吐出段階
Ａ１  第１の消防用水の流入区域５００の面積
Ａ２  第２の消防用水の流入区域６００の面積
ＦＷ１  消防用水
ＦＷ２  放水圧が調節された消防用水
ＥＴ  おねじ
ＦＨ  消防ホース
ＦＮ  放水用具
ＦＮａ  放水用具の結束溝
ＩＴ  めねじ
ＲＶ  消防ホースの減圧弁
【図１】
0006838761.tif 000002
【図２】
0006838761.tif 000003
【図３】
0006838761.tif 000004
【図４】
0006838761.tif 000005
【図５】
0006838761.tif 000006
【図６】
0006838761.tif 000007
【図７】
0006838761.tif 000008
【図８】
0006838761.tif 000009
【図９】
0006838761.tif 000010
【図１０】
0006838761.tif 000011